【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
開口部を有するフレーム本体と、前記開口部に配置可能なカバー部とを、有するリール本体と、
前記フレーム本体に回転自在に装着されるスプールと、
前記スプールを回転させるためのハンドルと、
前記カバー部を開放するためのカバー開放機構と、
を備え、
前記カバー開放機構は、前記フレーム本体と、前記カバー部と、前記フレーム本体の内部に装着されスプールを回転可能に支持するスプール支持部と、前記フレーム本体の内部において前記スプールと前記カバー部との間に配置されるカバー開閉部とを、有し、
前記カバー開閉部は、カバー開閉構造と付勢部材とを有し、
前記カバー開閉構造は、前記スプール支持部及び前記カバー部に係合し、前記カバー部の開閉状態を設定し、
前記付勢部材は、前記カバー部と前記カバー開閉構造との間に配置され、前記カバー部を開放可能に付勢し、
前記カバー部及び前記スプール支持部のいずれか一方が、前記カバー部及び前記スプール支持部のいずれか他方に係合することによって、前記カバー部は回り止めされる、
両軸受リール。
【請求項２】
前記カバー部及び前記スプール支持部のいずれか一方は、突出部を有し、
前記カバー部及び前記スプール支持部のいずれか他方は、前記突出部に当接可能な当接部を、有している、
請求項１に記載の両軸受リール。
【請求項３】
前記付勢部材は、前記カバー部が前記開口部を閉塞する閉塞姿勢から、前記カバー部が前記開口部の少なくとも一部を開放した開放姿勢へと、前記カバー部の姿勢を変更する、
請求項１又は２に記載の両軸受リール。
【請求項４】
前記付勢部材は、前記閉塞姿勢から、前記開口部を開放可能な開放可能姿勢へと、前記カバー部の姿勢を変更し、且つ前記開放可能姿勢から前記開放姿勢へと、前記カバー部の姿勢を変更する、
請求項３に記載の両軸受リール。
【請求項５】
前記カバー開閉構造は、前記カバー部を、前記閉塞姿勢と前記開放可能姿勢との間において前記スプールから離れる方向と前記スプールに近づく方向とに進退自在に支持し、且つ前記開放可能姿勢と前記開放姿勢との間で揺動可能に支持し、
前記付勢部材は、前記カバー部の姿勢を前記閉塞姿勢から前記開放可能姿勢へと変更可能に前記カバー部を付勢し、且つ前記カバー部の姿勢を前記開放可能姿勢から前記開放姿勢へと変更可能に前記カバー部を付勢する、
請求項４に記載の両軸受リール。
【請求項６】
前記カバー部は、前記カバー開閉構造に連結される連結部を有し、
前記カバー開閉構造は、前記連結部に装着され前記カバー部を進退自在且つ揺動自在に支持する支持部を、有し、
前記付勢部材は、前記連結部及び前記支持部の少なくともいずれか一方の外周部に装着され且つ前記外周部において伸縮可能である捩りバネ部と、前記カバー部に係止される第１係止部と、前記カバー開閉構造に係止される第２係止部とを、有し、
前記捩りバネ部の伸びる力によって、前記カバー部の姿勢が、前記閉塞姿勢から前記開放可能姿勢へと変更され、
前記捩りバネ部の捩り力の反力によって、前記カバー部の姿勢が、前記開放可能姿勢から前記開放姿勢へと変更される、
請求項５に記載の両軸受リール。
【手続補正２】
【補正対象書類名】明細書
【補正対象項目名】全文
【補正方法】変更
【補正の内容】
【発明の詳細な説明】
【発明の名称】両軸受リール
【技術分野】
【０００１】
本発明は、両軸受リール、特に、カバー部を開放するためのカバー開放機構を有する両軸受リールに関する。
【背景技術】
【０００２】
両軸受リールには、ハンドルとは反対側の側カバーを開放する機構（以下、カバー開放機構と記す）を、備えたものがある（特許文献１を参照）。このカバー開放機構では、側カバーが、付勢部材によって、外方に付勢され且つ閉方向に付勢されている。例えば、側カバーを閉塞状態から開放状態に変更する場合、ユーザが、付勢部材によって外方に押し出された側カバーを、自分の手で回転することによって、側カバーが開放される。ここで、側カバーを開放状態で維持するためには、ユーザは、側カバーを自分の手で保持しておく必要がある。一方で、側カバーを開放状態から閉塞状態に変更する場合、ユーザが、開放状態の側カバーから手を離すと、開放状態の側カバーが付勢部材によって閉じられる。そして、ユーザは、この側カバーを押し込むことによって、側カバーが閉じられる。
【先行技術文献】
【特許文献】
【０００３】
【特許文献１】特許３５６０４５９号公報
【発明の概要】
【発明が解決しようとする課題】
【０００４】
従来の両軸受リールでは、ユーザが側カバーを開放しようとする場合、ユーザは、側カバーを、自分の手で回転することによって、側カバーを開放していた。また、ユーザが両軸受リールの内部構造にアクセスする場合、ユーザは常に側カバーを開いた状態で保持しておく必要があった。このため、例えば、ユーザが左手で側カバーを開いた場合、左手は側カバーを開いた状態を常に保持し続けなければならず、ユーザは、両軸受リールの内部構造に対する操作や作業等を行いづらいという問題があった。
【０００５】
本発明は、上記のような問題に鑑みてなされたものであって、本発明の目的は、両軸受リールのカバー部を容易に開放できるようにし、両軸受リールの内部構造に対する操作性及び作業性を向上することにある。
【課題を解決するための手段】
【０００６】
発明１に係る両軸受リールは、リール本体と、スプールと、ハンドルと、カバー開放機構とを、備えている。リール本体は、フレーム本体と、カバー部とを、有している。フレーム本体は、開口部を有する。カバー部は、フレーム本体の開口部に配置可能である。スプールは、フレーム本体に回転自在に装着される。ハンドルは、スプールを回転させるためのものである。
【０００７】
カバー開放機構は、カバー部を開放するためのものである。カバー開放機構は、フレーム本体と、カバー部と、スプール支持部と、カバー開閉部とを、有している。スプール支持部は、フレーム本体の内部に装着され、スプールを回転可能に支持する。カバー開閉部は、フレーム本体の内部において、スプールとカバー部との間に配置される。
【０００８】
カバー開閉部は、カバー開閉構造と付勢部材とを有している。カバー開閉構造は、スプール支持部及びカバー部に係合し、カバー部の開閉状態を設定する。付勢部材は、カバー部とカバー開閉構造との間に配置され、カバー部を開放可能に付勢する。カバー部及びスプール支持部のいずれか一方が、カバー部及びスプール支持部のいずれか他方に係合することによって、カバー部は回り止めされる。
【０００９】
本両軸受リールでは、カバー開閉構造によってカバー部が閉塞状態から解放されると、付勢部材によってカバー部が開かれる。また、カバー部及びスプール支持部のいずれか一方が、カバー部及びスプール支持部のいずれか他方に係合することによって、カバー部は回り止めされる。
【００１０】
このように、本両軸受リールでは、カバー部を自動的に開放し、且つ開放されたカバー部を回り止めによって保持することができる。すなわち、本両軸受リールでは、カバー部を容易に開放することができる。また、本両軸受リールでは、カバー部を開いた状態で、保持することができる。これにより、両軸受リールの内部構造に対する操作性及び作業性を、向上することができる。
【００１１】
発明２に係る両軸受リールでは、発明１に記載の両軸受リールにおいて、カバー部及びスプール支持部のいずれか一方は、突出部を有している。カバー部及びスプール支持部のいずれか他方は、突出部に当接可能な当接部を、有している。
【００１２】
この場合、突出部と当接部とを当接させることによって、カバー部は回り止めされる。すなわち、本両軸受リールでは、カバー部を開いた状態で、カバー部を確実に保持することができる。これにより、両軸受リールの内部構造に対する操作性及び作業性を、向上することができる。
【００１３】
発明３に係る両軸受リールでは、発明１又は２に記載の両軸受リールにおいて、付勢部材は、カバー部が開口部を閉塞する閉塞姿勢から、カバー部が開口部の少なくとも一部を開放した開放姿勢へと、カバー部の姿勢を変更する。
【００１４】
この場合、カバー部の姿勢が、付勢部材によって、閉塞姿勢から開放姿勢へと変更されるので、ユーザは、カバー部を、手動ではなく、自動的に開放することができる。
【００１５】
発明４に係る両軸受リールでは、発明３に記載の両軸受リールにおいて、付勢部材が、閉塞姿勢から、開口部を開放可能な開放可能姿勢へと、カバー部の姿勢を変更する。また、付勢部材は、開放可能姿勢から開放姿勢へと、カバー部の姿勢を変更する。
【００１６】
この場合、カバー部の姿勢が、付勢部材によって、閉塞姿勢、開放可能姿勢、開放姿勢の順に、多段階に変更される。このように、カバー部の姿勢を、開放可能姿勢を介して、閉塞姿勢から開放姿勢へと変更することによって、閉塞姿勢と開放姿勢との姿勢の差異が大きくても、付勢部材によって、カバー部をスムーズ且つ自動的に開放することができる。
【００１７】
発明５に係る両軸受リールでは、発明４に記載の両軸受リールにおいて、カバー開閉構造が、カバー部を、閉塞姿勢と開放可能姿勢との間において、スプールから離れる方向と、スプールに近づく方向とに、進退自在に支持する。また、カバー開放機構は、開放可能姿勢と開放姿勢との間で、カバー部を揺動可能に支持する。付勢部材は、カバー部の姿勢を閉塞姿勢から開放可能姿勢へと変更可能に、カバー部を付勢する。また、付勢部材は、カバー部の姿勢を開放可能姿勢から開放姿勢へと変更可能に、カバー部を付勢する。
【００１８】
この場合、カバー開閉構造がカバー部を支持する形態に応じて、付勢手段がカバー部を付勢するので、カバー部の姿勢をスムーズ且つ自動的に変更することができる。
【００１９】
発明６に係る両軸受リールでは、発明５に記載の両軸受リールにおいて、カバー部が、カバー開閉構造に連結される連結部を、有している。カバー開閉構造は、支持部を有している。支持部は、連結部に装着され、カバー部を進退自在且つ揺動自在に支持する。付勢部材は、連結部及び支持部の少なくともいずれか一方の外周部に、装着される。付勢部材は、捩りバネ部と、第１係止部と、第２係止部とを、有している。捩りバネ部は、連結部及び支持部の少なくともいずれか一方の外周部において、伸縮可能である。第１係止部は、カバー部に係止される。第２係止部は、カバー開閉構造に係止される。
【００２０】
この場合、捩りバネ部の伸びる力によって、カバー部の姿勢が、閉塞姿勢から開放可能姿勢へと変更される。また、捩りバネ部の捩り力の反力によって、カバー部の姿勢が、開放可能姿勢から開放姿勢へと変更される。これにより、カバー部材の姿勢が多段階に変更されたとしても、１つの付勢部材によって、カバー部をスムーズ且つ自動的に開放することができる。
【発明の効果】
【００２１】
本発明によれば、両軸受リールのカバー部を容易に開放でき、両軸受リールの内部構造に対する操作性及び作業性を向上できる。
【図面の簡単な説明】
【００２２】
【図１】本発明の一実施形態による両軸受リールの平面図
【図２】両軸受リールの断面図
【図３】両軸受リールの部分斜視図
【図４】両軸受リールの側面図（第１側カバー部の開放状態）
【図５】両軸受リールの側面図（第１側カバー部を除く）
【図６Ａ】第１側カバー部の斜視図
【図６Ｂ】第１側カバー部の部分断面図（突起なし）
【図６Ｃ】第１側カバー部の部分断面図（突起あり）
【図７】着脱ユニットの分解斜視図（第１側カバー部を除く）
【図８】付勢部材の斜視図
【図９】揺動部材の斜視図
【図１０】連結部材の係合状態を示す図
【発明を実施するための形態】
【００２３】
＜両軸受リールの基本構成＞
図１及び図２に示すように、両軸受リール１０は、主に、釣り竿に装着されるリール本体１１と、ハンドル１２と、スタードラグ１３と、スプール１４と、スプール軸２６と、スプールアクセス機構３０と、カバー開放機構５０とを、備えている。スプールアクセス機構３０には、後述するカバー開放機構５０が含まれている。また、スプールアクセス機構３０には、リール本体１１の一部、例えばフレーム１７が、含まれる。
【００２４】
図１に示すように、ハンドル１２は、スプールを回転するためのものである。ハンドル１２は、リール本体１１の側方に配置されている。スタードラグ１３は、ハンドル１２のリール本体１１側に配置されたドラグ調整用のものである。
【００２５】
スプール１４は、リール本体１１に回転自在に装着されている。スプール１４は、釣り糸が巻き付けられる筒状の糸巻胴部１４ａと、糸巻胴部１４ａの両端に大径に形成された左右一対の第１フランジ部１４ｂ及び第２フランジ部１４ｃとを、有する。第１フランジ部１４ｂは、ハンドル１２と逆側に設けられ、第２フランジ部１４ｃは、ハンドル１２側に設けられる。糸巻胴部１４ａの内周側には、スプール軸２６が一体回転可能に連結される筒状の取付部１４ｄ（図２を参照）が設けられる。取付部１４ｄは、円板状の連結部１４ｅ（図２を参照）を介して、糸巻胴部１４ａと一体に形成される。したがって、スプール１４の糸巻胴部１４ａの内周側には、空間が形成される。
【００２６】
スプール軸２６の一端（図２の右端）は、第１軸受２５ａによって、後述するリール本体１１の第１側板部１７ａに回転自在に支持される。スプール軸２６の他端（図２の左端）は、リール本体１１の第２側カバー部１８ｂ（後述する）に設けられるボス部の第２軸受２５ｂによって回転自在に支持される。
【００２７】
図１及び図２に示すように、リール本体１１は、フレーム１７（フレーム本体の一例）と、フレーム１７の左右側面を覆う第１側カバー部１８ａ（カバー部の一例）及び第２側カバー部１８ｂと、両軸受リール１０を釣り竿に装着するための釣り竿装着部１７ｄと、を有している。
【００２８】
フレーム１７は、左右１対の第１側板部１７ａ及び第２側板部１７ｂと、複数の連結部１７ｃとを、有している。第１側板部１７ａは、実質的に円形に形成されている。第１側板部１７ａは、第１側板本体部２７ａと、第１側板本体部２７ａの外周部に一体に形成される筒状部２７ｂとを、有している。第１側板本体部２７ａは、開口２２ａと、揺動部材用の長孔部２２ｂ（図３を参照）とを、有している。開口２２ａ及び筒状部２７ｂの内周部によって、スプール１４が通過可能な開口部２７ｃ（開口部の一例）が、構成されている。揺動部材用の長孔部２２ｂには、後述する揺動用の操作つまみ３８ｂが、移動自在に配置される。
【００２９】
図２及び図４に示すように、開口部２７ｃ、例えば筒状部２７ｂの内周側には、スプール支持部１５と、第１側カバー部１８ａと、後述するカバー開閉部１６と、着脱部１９とが、配置される。詳細には、スプール支持部１５と、第１側カバー部１８ａと、カバー開閉部１６とは、着脱部１９を介して、筒状部２７ｂの内周側に着脱自在に装着される。ここでは、例えば、着脱部１９と筒状部２７ｂとが、バヨネット方式によって、着脱自在に連結されている。着脱部１９と筒状部２７ｂとを連結するための構成の詳細については、後述する。
【００３０】
また、図２に示すように、開口部２７ｃには、キャスティング時のバックラッシュを抑えるためのスプール制動装置２０が、配置されている。スプール制動装置２０は、スプール１４の回転に応じて、スプール１４を制動する。スプール制動装置２０は、主に、回転部材２０ａと、複数のブレーキシュー２０ｂと、ブレーキドラム２０ｃとを、有している。回転部材２０ａは、スプール軸２６に対して、一体回転可能に装着される。複数のブレーキシュー２０ｂそれぞれは、回転部材２０ａに揺動可能に装着される。ここでは、６個のブレーキシュー２０ｂが、回転部材２０ａの外周部に揺動可能に装着されている。また、各ブレーキシュー２０ｂは、図示しないロック構造によって、揺動不能に設定可能である。
【００３１】
ブレーキドラム２０ｃは、ブレーキシュー２０ｂと接触することによって、スプール１４の回転を制動する。ブレーキドラム２０ｃは、後述する制動操作部１１８ｄの操作量に応じて、スプール１４に接近する方向、又はブレーキドラム２０ｃがスプール１４から離反する方向に、移動する。これにより、ブレーキドラム２０ｃの位置決めが行われる。
【００３２】
例えば、回転部材２０ａがスプール１４とともに回転すると、ブレーキシュー２０ｂは、遠心力によって揺動する。すると、ブレーキシュー２０ｂが、位置決め後のブレーキドラム２０ｃに接触し、スプール１４の回転が制動される。なお、ブレーキドラム２０ｃは、スプールアクセス機構３０（スプール支持部１５）に含まれる部材である。
【００３３】
図２に示すように、第２側板部１７ｂは、連結部１７ｃを介して、第１側板部１７ａに対向して配置されている。第２側板部１７ｂには、第２側カバー部１８ｂが装着される。第２側板部１７ｂと第２側カバー部１８ｂとの間には、スプール１４の回転時の抵抗力を調節するためのキャスティングコントロール機構２１が、配置されている。
【００３４】
複数の連結部１７ｃは、第１側板部１７ａ及び第２側板部１７ｂと一体に形成され、第１側板部１７ａと第２側板部１７ｂとを連結する。
【００３５】
図１及び図２に示すように、第１側カバー部１８ａは、ハンドル１２とは逆側において、フレーム１７の側面を覆う部材である。詳細には、第１側カバー部１８ａは、第１側板部１７ａの開口部２７ｃを覆う部材である。例えば、第１側カバー部１８ａは、第１側板部１７ａの開口部２７ｃに配置可能である。
【００３６】
図４、図５、及び図６Ａに示すように、第１側カバー部１８ａは、カバー本体部２８ａと、支持部２８ｂ（連結部の一例）と、異物防止部材６１とを、有している。カバー本体部２８ａの外周部の少なくとも一部は、第１曲率を有している。言い換えると、カバー本体部２８ａの外周部の少なくとも一部は、第１曲率半径を有する形状に、形成されている。例えば、カバー本体部２８ａは、実質的に円形に形成されている。カバー本体部２８ａには、複数の孔部１２８ａが形成されている。複数の孔部１２８ａは、カバー本体部２８ａの軽量化及び意匠性を向上するために設けられている。カバー本体部２８ａの外周部には、実質的に円環状の突出部１２８ｂが、形成されている。突出部１２８ｂは、後述するスプール支持部１５の当接部３５ｄに当接する。これにより、第１側カバー部１８ａは、回り止めされる。
【００３７】
また、図６Ａに示すように、突出部１２８ｂは、異物防止部材６１を保持するための複数の保持部１２８ｃを、有している。ここでは、３個の保持部１２８ｃが、突出部１２８ｂに形成されている。３個の保持部１２８ｃは、円周方向に間隔を隔てて、突出部１２８ｂの内周側に設けられている。保持部１２８ｃは、凹状に形成された凹部（第１凹部の一例）である。
【００３８】
支持部２８ｂは、カバー開閉部１６に対して第１側カバー部１８ａを開閉するために、カバー本体部２８ａに設けられている。支持部２８ｂは、第１側板部１７ａの開口部２７ｃ側において、カバー本体部２８ａに一体に形成されている。例えば、支持部２８ｂは円筒状に形成されており、支持部２８ｂの内周部には雌ねじ部が形成されている。
【００３９】
例えば、第１側カバー部１８ａが閉じられた状態、すなわち第１側カバー部１８ａが第１側板部１７ａの開口部２７ｃに配置された状態において、支持部２８ｂは、スプール軸方向から見て、スプール支持部１５と重なるように、カバー本体部２８ａに一体に形成されている。また、第１側カバー部１８ａには、開口部１８ｄが形成されている。この開口部１８ｄには、スプールの回転を制動するための制動操作部１１８ｄが、回転可能に配置される。
【００４０】
図６Ａに示すように、異物防止部材６１は、第１側カバー部１８ａのカバー本体部２８ａに設けられた複数の孔部１２８ａからの異物の侵入を、防止するための部材である。異物防止部材６１は、弾性部材である。異物防止部材６１は、弾性変形させることによって、カバー本体部２８ａに装着される。例えば、異物防止部材６１は、カバー本体部２８ａの内面側に装着され、復元力によってカバー本体部２８ａに保持される。異物防止部材６１は、カバー本体部２８ａの保持部１２８ｃによって、位置決めされ保持される。異物防止部材６１については、後述する異物侵入防止構造６０の構成において、詳細に説明する。
【００４１】
図１及び図２に示すように、第２側カバー部１８ｂは、ハンドル１２側において、フレーム１７の側面を覆う部材である。第２側カバー部１８ｂには、キャスティングコントロール機構２１を調節するための抵抗操作部２３が、回転可能に装着されている。
【００４２】
釣り竿装着部１７ｄは、下側の連結部１７ｃに一体形成される。第１側板部１７ａと第２側板部１７ｂの間には、ハンドル１２に連結されたスプール１４が、配置される。
【００４３】
なお、リール本体１１の内部には、スプール１４に連動して動作するレベルワインド機構（図示せず）やハンドル１２の回転をスプール１４に伝達する回転伝達機構（図示せず）等が設けられている。
【００４４】
＜スプールアクセス機構の構成及びカバー開放機構の構成＞
図４に示すように、スプールアクセス機構３０は、第１側板部１７ａ（フレーム１７）と、スプール支持部１５と、第１側カバー部１８ａと、カバー開閉部１６と、着脱部１９とから、構成されている。スプールアクセス機構３０における、第１側板部１７ａ（フレーム１７）と、スプール支持部１５と、第１側カバー部１８ａと、カバー開閉部１６とは、カバー開放機構５０を構成している。すなわち、スプールアクセス機構３０は、カバー開放機構５０を含んでいる。
【００４５】
このように、カバー開放機構５０は、着脱部１９を除き、上記のスプールアクセス機構３０の構成と同じである。このため、スプールアクセス機構３０の構成及びカバー開放機構５０の構成を、同時に説明する。
【００４６】
なお、以下では、スプール支持部１５、着脱部１９、カバー開閉部１６、及び第１側カバー部１８ａを、「着脱ユニット２９」と記される。また、第１側板部１７ａ及び第１側カバー部１８ａは、上記のリール本体１１において既に説明を行っているため、ここでは説明を省略する。
【００４７】
スプール支持部１５は、スプール１４を回転可能に支持する。詳細には、スプール支持部１５は、スプール軸２６を介して、スプール１４を回転自在に支持する。スプール支持部１５は、第１側板部１７ａの内部に配置される。詳細には、スプール支持部１５は、第１側板部１７ａの開口部２７ｃに配置される。
【００４８】
図７に示すように、スプール支持部１５は、ベース部材３５と、上述したブレーキドラム２０ｃとを、有する。ベース部材３５は、ベース本体３５ａと、第１軸受２５ａを収納するための軸受収納部３５ｅとを、有している。
【００４９】
ベース本体３５ａは、ブレーキ収納部３５ｂと、鍔部３５ｃと、当接部３５ｄ（図４を参照）とを、有している。ブレーキ収納部３５ｂは、ブレーキカム２０ｄ及びブレーキシュー２０ｂを収納する部分である。ブレーキ収納部３５ｂには、ブレーキシュー２０ｂにアクセスするための窓部１１５ｅが、形成されている。ブレーキシュー２０ｂは、この窓部１１５ｅを介して、揺動可能又は揺動不能に、設定される。
【００５０】
鍔部３５ｃは、ブレーキ収納部３５ｂの外周に一体に形成されている。当接部３５ｄは、第１側カバー部１８ａを回り止めする部分である。当接部３５ｄは、ブレーキ収納部３５ｂから外方に突出して、ブレーキ収納部３５ｂに一体に形成されている。例えば、第１側カバー部１８ａが開放された場合に、第１側カバー部１８ａの突出部１２８ｂ（図６Ａを参照）が、スプール支持部１５の当接部３５ｄに当接することによって、第１側カバー部１８ａは回り止めされる。また、第１側カバー部１８ａの突出部１２８ｂは、付勢部材３７を係止する部分としても用いられる。
【００５１】
軸受収納部３５ｅは、ベース本体３５ａの内周部に一体に形成されている。詳細には、軸受収納部３５ｅは、ベース本体３５ａのブレーキ収納部３５ｂにおいて、スプール軸２６に沿う方向に突出するように、一体に形成されている。ベース部材３５は、軸受収納部３５ｅに収納された第１軸受２５ａ（図２を参照）を介して、スプール軸２６の一端（図２の右端）を、回転自在に支持する。
【００５２】
ブレーキドラム２０ｃは、ベース部材３５に、ブレーキカム２０ｄを介して係合する。ブレーキカム２０ｄは、ブレーキドラム２０ｃの内周部と軸受収納部３５ｅの外周部との間に配置される。ブレーキカム２０ｄの外周部には、カム溝が形成されており、ブレーキドラム２０ｃの内周部には、カム溝に係合するカム突起が、形成されている。
【００５３】
例えば、制動操作部１１８ｄが回動操作されると、制動操作部１１８ｄに固定された第１ギア部１２１と、第１ギア部１２１に噛み合うブレーキドラム２０ｃの第２ギア部１２２とが、回転する。すると、この回転に伴い、ブレーキドラム２０ｃが回転する。すると、ブレーキドラム２０ｃが、ブレーキカム２０ｄを介して、ブレーキドラム２０ｃがスプール１４に接近する方向、又はブレーキドラム２０ｃがスプール１４から離反する方向に、移動する。これにより、ブレーキドラム２０ｃの位置決めが行われ、ブレーキドラム２０ｃにブレーキシュー２０ｂが接触した場合のスプールの制動力が、決定される。
【００５４】
図４に示すように、カバー開閉部１６は、第１側カバー部１８ａを開放可能に構成されている。カバー開閉部１６は、第１側板部１７ａの開口部２７ｃにおいて、スプール１４と第１側カバー部１８ａとの間に配置される。カバー開閉部１６は、スプール支持部１５及び第１側カバー部１８ａに係合する。例えば、カバー開閉部１６は、スプール支持部１５のブレーキ収納部３５ｂ及び第１側カバー部１８ａの支持部２８ｂ（図６Ａを参照）に係合する。
【００５５】
図４から図１０に示すように、カバー開閉部１６は、カバー開閉構造３６と、付勢部材３７（図８を参照）とを、有している。カバー開閉構造３６は、第１側カバー部１８ａを開閉可能である。例えば、カバー開閉構造３６は、カバー閉塞姿勢とカバー開放可能姿勢との間において、第１側カバー部１８ａを、スプール１４から離れる方向と、スプール１４に近づく方向とに、進退自在に支持する。また、カバー開閉構造３６は、カバー開放可能姿勢とカバー開放姿勢との間において、第１側カバー部１８ａを揺動可能に支持する。さらに、カバー開閉構造３６は、スプール支持部１５及び第１側カバー部１８ａに係合する。
【００５６】
なお、第１側カバー部１８ａが第１側板部１７ａの開口部２７ｃに配置されたときの姿勢を、カバー閉塞姿勢と定義する。また、スプール１４から離れる方向に第１側カバー部１８ａが移動したときの姿勢、すなわち第１側カバー部１８ａと第１側板部１７ａの筒状部２７ｂとの間に所定の隙間が形成されたときの第１側カバー部１８ａの姿勢を、カバー開放可能姿勢と定義する。さらに、第１側カバー部１８ａが開放されたときの姿勢を、カバー開放姿勢と定義する。
【００５７】
カバー開閉構造３６は、揺動部材３８と、連結部材４０とを、有している。揺動部材３８は、第１側カバー部１８ａを開放するために操作される部材である。揺動部材３８は、スプール支持部１５に対して、揺動可能に装着される。
【００５８】
図５、図７、及び図９に示すように、揺動部材３８は、実質的に円環状の揺動本体部３８ａ（揺動部材の本体部の一例）と、揺動用の操作つまみ３８ｂと、切欠部３８ｃと、位置決め用の長孔部３９とを、有している。
【００５９】
揺動本体部３８ａは、スプール支持部１５に対して、揺動可能に装着される。揺動本体部３８ａは、スプール支持部１５の鍔部３５ｃに対向した状態で、スプール支持部１５に対して回転可能である。揺動本体部３８ａの内周部には、スプール支持部１５のブレーキ収納部３５ｂが、配置される。揺動部材３８の回転範囲、すなわち揺動部材３８の揺動範囲は、第１側板部１７ａに形成された揺動部材用の長孔部２２ｂ（図３を参照）の範囲内で、設定される。
【００６０】
揺動用の操作つまみ３８ｂは、揺動部材３８を揺動させるためのものである。揺動用の操作つまみ３８ｂは、揺動本体部３８ａの外周部において、スプール軸２６に沿った方向に延びている。揺動用の操作つまみ３８ｂは、揺動部材用の長孔部２２ｂ（図３を参照）に配置される。揺動用の操作つまみ３８ｂが操作されると、揺動部材３８が揺動する。切欠部３８ｃは、揺動本体部３８ａの外周部に沿って形成されている。切欠部３８ｃには、後述する着脱用の操作つまみ１９ｂが、配置される。
【００６１】
図９に示すように、位置決め用の長孔部３９は、揺動本体部３８ａに形成され、円周方向に延びている。位置決め用の長孔部３９には、後述する第２連結部材４２が、配置される（図５を参照）。位置決め用の長孔部３９において、第２連結部材４２は移動可能である。位置決め用の長孔部３９は、第１孔部３９ａと、第２孔部３９ｂとを、有している。第１孔部３９ａは、位置決め用の長孔部３９の一端側に形成される。第２孔部３９ｂは、位置決め用の長孔部３９の他端側に形成される。第２孔部３９ｂは、第１孔部３９ａより内径が大きい。
【００６２】
ここで、第１側カバー部１８ａが閉じられた状態における揺動部材３８の姿勢が、第１姿勢と定義する。また、第１側カバー部１８ａが開放可能である状態における揺動部材３８の姿勢が、第２姿勢と定義する。揺動部材３８は、第１姿勢及び第２姿勢において、後述する連結部材４０によって、位置決めされる。
【００６３】
図５に示すように、連結部材４０は、スプール支持部１５及び第１側カバー部１８ａを連結し、且つ揺動部材３８の揺動に応じて第１側カバー部１８ａを開閉可能に支持する。連結部材４０は、第１連結部材４１と、第２連結部材４２（カバー開放機構５０における支持部の一例）とを、有する。
【００６４】
第１連結部材４１は、揺動部材３８と第１側カバー部１８ａとの間において、スプール支持部１５に、装着される。詳細には、第１連結部材４１は、板状に形成されている。第１連結部材４１の一部が、スプール支持部１５のブレーキ収納部３５ｂに、装着されている。また、第１連結部材４１は、スプール支持部１５のブレーキ収納部３５ｂに装着される部分を除いた部分において、第２連結部材４２に係合している。例えば、第１連結部材４１は、孔部４１ａを有している。この孔部４１ａに第２連結部材４２が回転自在に配置される。
【００６５】
第２連結部材４２は、第１連結部材４１に係合する。例えば、第２連結部材４２は、第１連結部材４１の孔部４１ａに回転自在に配置される。また、第２連結部材４２は、第１側カバー部１８ａの支持部２８ｂ（図６Ａを参照）に連結され、第１側カバー部１８ａを開閉可能に支持する。さらに、第２連結部材４２は、揺動部材３８を位置決めする。詳細には、第２連結部材４２は、揺動部材３８の揺動本体部３８ａの揺動に応じて、位置決め用の長孔部３９を移動可能である。
【００６６】
揺動部材３８の姿勢が第１姿勢である場合、揺動部材３８は、位置決め用の長孔部３９の一端側で、第２連結部材４２によって位置決めされる。揺動部材３８の姿勢が第２姿勢である場合、揺動部材３８は、位置決め用の長孔部３９の他端側で、第２連結部材４２によって位置決めされる。
【００６７】
具体的には、図１０に示すように、第２連結部材４２は、軸部４３と、頭部４４（拡大部の一例）とを、有している。軸部４３は、第１連結部材４１の孔部４１ａに回転自在に配置される。軸部４３は、軸本体部４３ａと、雄ネジ部４３ｂとを、有している。軸本体部４３ａは、頭部４４と雄ネジ部４３ｂとの間に形成される部分である。軸本体部４３ａは、揺動部材３８に形成された位置決め用の長孔部３９に、係合可能である。詳細には、第１側カバー部１８ａが閉じられた状態では、軸本体部４３ａは、位置決め用の長孔部３９の第１孔部３９ａに配置される。軸部４３の雄ネジ部４３ｂは、第１側カバー部１８ａの支持部２８ｂ（雌ねじ部）に、螺合する。これにより、第２連結部材４２は、第１側カバー部１８ａに装着される。
【００６８】
頭部４４は、軸部４３より拡大された部分である。頭部４４は、軸部４３の一端において、軸部４３と一体に形成されている。図９の破線で示すように、頭部４４は、位置決め用の長孔部３９に、係合可能である。詳細には、揺動部材３８の姿勢が第１姿勢である場合（第１側カバー部１８ａが閉じられた状態）では、頭部４４は、位置決め用の長孔部３９の第１孔部３９ａに係合する（図１０を参照）。一方で、揺動部材３８の姿勢が第２姿勢である場合（第１側カバー部１８ａが開放可能な状態）では、頭部４４は、位置決め用の長孔部３９の第２孔部３９ｂに係合する。
【００６９】
ここで、第２連結部材４２及び揺動部材３８の関係と、揺動部材３８の位置決めについて、説明をしておく。図１０に示すように、揺動部材３８の姿勢が第１姿勢である場合、第２連結部材４２の軸部４３（軸本体部４３ａ）が、位置決め用の長孔部３９の第１孔部３９ａに配置される。また、この場合、第２連結部材４２の頭部４４が、位置決め用の長孔部３９の第１孔部３９ａの縁部３９ｃに、係合する。
【００７０】
これにより、第１側カバー部１８ａが閉じられた場合、すなわち第１側カバー部１８ａの外周部が第１側板部１７ａの筒状部２７ｂに当接した状態において、揺動部材３８が、第１側カバー部１８ａ及び第２連結部材４２（頭部４４）によって、挟持される。このようにして、揺動部材３８は、位置決めされ、且つ抜け止めされる。
【００７１】
一方で、揺動部材３８の姿勢が第１姿勢から第２姿勢へと変更され、揺動部材３８の姿勢が第２姿勢に設定されると、図９に示すように、第２連結部材４２の頭部４４は、位置決め用の長孔部３９の第２孔部３９ｂに配置される。この状態では、第２連結部材４２の頭部４４は、位置決め用の長孔部３９の第２孔部３９ｂに配置されているので、揺動部材３８は揺動不能である。すなわち、第２連結部材４２（頭部４４）によって、揺動部材３８は、位置決めされる。
【００７２】
また、この状態では、第２連結部材４２の頭部４４は、位置決め用の長孔部３９の第２孔部３９ｂにおいて、スプール支持部１５から離れる方向とスプール支持部１５に近づく方向とに、進退自在である。しかし、第２連結部材４２の頭部４４と第１側カバー部１８ａとの間には、第１連結部材４１が配置されているので、この第１連結部材４１によって、第２連結部材４２は抜け止めされている。なお、第２連結部材４２の頭部４４が第１連結部材４１に当接した状態では、第２連結部材４２は、第１側カバー部１８ａを揺動可能に支持する。
【００７３】
図８に示す付勢部材３７は、第１側カバー部１８ａを付勢するための部材である。付勢部材３７は、第１側カバー部１８ａが第１側板部１７ａの開口部２７ｃを閉塞するカバー閉塞姿勢から、第１側カバー部１８ａが第１側板部１７ａ開口部２７ｃの少なくとも一部を開放したカバー開放姿勢へと、第１側カバー部１８ａの姿勢を変更する。具体的には、まず、付勢部材３７は、カバー閉塞姿勢から、第１側板部１７ａの開口部２７ｃを開放可能なカバー開放可能姿勢へと、第１側カバー部１８ａの姿勢を変更する。次に、付勢部材３７は、カバー開放可能姿勢からカバー開放姿勢へと、第１側カバー部１８ａの姿勢を変更する。
【００７４】
付勢部材３７は、第１側カバー部１８ａとカバー開閉構造３６との間に配置され、第１側カバー部１８ａを開放可能に付勢する。詳細には、付勢部材３７は、第１側カバー部１８ａと第１連結部材４１との間に配置され、第１側カバー部１８ａを、スプール１４から離れる方向に付勢する。また、付勢部材３７は、第１側カバー部１８ａと第１連結部材４１とに係合し、第１側カバー部１８ａを開放可能に付勢する。
【００７５】
図８に示すように、付勢部材３７は、捩りバネ部３７ａと、第１係止部３７ｂと、第２係止部３７ｃとを、有している。捩りバネ部３７ａは、第１側カバー部１８ａと第１連結部材４１との間において、第１側カバー部１８ａにおける支持部２８ｂの外周部及び第２連結部材４２における軸部４３（軸本体部４３ａ）の外周部の少なくともいずれか一方に、配置される。例えば、第２連結部材４２が、第１孔部３９ａに配置された状態では、捩りバネ部３７ａは、支持部２８ｂの外周部に、配置される。一方で、第２連結部材４２が、第２孔部３９ｂに配置された状態では、捩りバネ部３７ａは、支持部２８ｂの外周部及び軸部４３の外周部に、配置される。
【００７６】
捩りバネ部３７ａは、上記の外周部において伸縮可能である。例えば、第２連結部材４２の頭部４４が第１孔部３９ａの縁部３９ｃに係合した状態、すなわち第１側カバー部１８ａが閉じられた状態では、捩りバネ部３７ａは、第１側カバー部１８ａと第１連結部材４１との間で、圧縮されている。この状態から、揺動部材３８が回転して、第２連結部材４２の頭部４４が第２孔部３９ｂに到達すると、捩りバネ部３７ａは、第１側カバー部１８ａを、スプール支持部１５から離れる方向に、付勢する。すると、第２連結部材４２の頭部４４が、第１連結部材４１に当接する。これにより、第１側カバー部１８ａの姿勢が、カバー閉塞姿勢からカバー開放可能姿勢へと変更される。
【００７７】
また、捩りバネ部３７ａは、第１側カバー部１８ａに対して、捩り力の反力を与える。詳細には、第１係止部３７ｂは、第１側カバー部１８ａ、例えば第１側カバー部１８ａの突出部１２８ｂに、係止される。第２係止部３７ｃは、カバー開閉構造３６、例えば第１連結部材４１に、係止される。例えば、第２係止部３７ｃは、第１連結部材４１の係止孔４１ｂ（図５を参照）に、係止される。これにより、捩りバネ部３７ａは、第２係止部３７ｃ（係止孔４１ｂ）を支持点として、第１側カバー部１８ａに対して、捩り力の反力を与える。例えば、第１側カバー部１８ａの姿勢がカバー開放可能姿勢になると、捩りバネ部３７ａの捩り力の反力によって、第１側カバー部１８ａの姿勢が、カバー開放可能姿勢からカバー開放姿勢へと変更される。
【００７８】
このように、付勢部材３７が、第１側カバー部１８ａの姿勢を、カバー閉塞姿勢、カバー開放可能姿勢、カバー開放姿勢の順に変更することによって、第１側カバー部１８ａが開かれる。
【００７９】
図４及び図５に示すように、着脱部１９は、スプール１４と第１側カバー部１８ａとの間において、第１側板部１７ａの開口部２７ｃに配置される。また、図７に示すように、着脱部１９は、スプール支持部１５と揺動部材３８との間に、配置される。具体的には、着脱部１９は、スプール支持部１５の鍔部３５ｃと揺動部材３８の揺動本体部３８ａとの間に、配置される。着脱部１９は、上記の配置形態において、回転自在である。
【００８０】
着脱部１９は、第１側板部１７ａに対して、揺動可能且つ着脱可能に装着されている。着脱部１９は、スプール支持部１５及びカバー開閉構造３６に係合する。着脱部１９は、第１側カバー部１８ａが開かれた状態で、揺動可能である。また、この状態で、着脱部１９は、スプール支持部１５、第１側カバー部１８ａ、及びカバー開閉部１６を、第１側板部１７ａに対して、着脱可能である。
【００８１】
図７に示すように、着脱部１９は、実質的に円環状に形成されている。着脱部１９は、実質的に円環状の円環部１９ａ（着脱部１９の本体部の一例）と、着脱用の操作つまみ１９ｂと、複数の（例えば３個の）バヨネット突起１９ｃとを、有している。着脱用の操作つまみ１９ｂは、円環部１９ａの外周部に一体に形成されている。着脱用の操作つまみ１９ｂは、揺動部材３８の切欠部３８ｃに配置される。例えば、着脱用の操作つまみ１９ｂの内周部には、溝部（図示しない）が、形成されている。この溝部を揺動部材３８の切欠部３８ｃに嵌合することによって、スプール軸方向への揺動部材３８の抜け止めが、行われる。なお、着脱部１９の揺動範囲は、切欠部３８ｃの円周方向の長さの範囲内に、設定される。
【００８２】
複数の（例えば３個の）バヨネット突起１９ｃは、円環部１９ａの外周部から外方に突出して、一体に形成されている。ここで、第１側板部１７ａの筒状部２７ｂには、バヨネット溝２７ｄ（図４を参照）が形成されている。着脱用の操作つまみ１９ｂを操作することによって着脱部１９が回転すると、このバヨネット溝２７ｄにバヨネット突起１９ｃが係合する。これにより、着脱ユニット２９（スプール支持部１５、第１側カバー部１８ａ、カバー開閉部１６、及び着脱部１９）は、第１側板部１７ａの筒状部２７ｂに装着される。また、着脱用の操作つまみ１９ｂを操作することによって着脱部１９を上記とは反対側に回転すると、バヨネット突起１９ｃとバヨネット溝２７ｄとの係合が解除される。これにより、着脱ユニット２９が、第１側板部１７ａの筒状部２７ｂから取り外される。
【００８３】
このように、スプール支持部１５、着脱部１９、カバー開閉部１６、及び第１側カバー部１８ａを、１つのユニット単位すなわち着脱ユニット２９の単位で、着脱できるので、両軸受リール１０の内部に容易にアクセスすることができる。
【００８４】
＜スプールアクセス機構とカバー開放機構との組み立て及びの動作＞
スプールアクセス機構３０に含まれる着脱ユニット２９は、次のように組み立てられ動作する。
【００８５】
まず、着脱部１９とカバー開閉部１６の揺動部材３８とが、組み合わされる。具体的には、着脱部１９の操作つまみ（着脱用の操作つまみ１９ｂ）が、揺動部材３８の切欠部３８ｃに配置されるように、着脱部１９と揺動部材３８とが、組み合わされる。より具体的には、着脱用の操作つまみ１９ｂの溝部（図示しない）が、切欠部３８ｃに嵌合されるように、着脱部１９が揺動部材３８に組み付けられる。これにより、カバー開閉部１６の揺動部材３８が、着脱部１９によって抜け止めされる。
【００８６】
次に、着脱部１９と揺動部材３８とが組み合わされた状態において、着脱部１９が、スプール支持部１５の鍔部３５ｃに対向するように、スプール支持部１５に配置される。言い換えると、着脱部１９は、スプール支持部１５のブレーキ収納部３５ｂの外周部に配置される。これにより、着脱部１９及び揺動部材３８が、スプール支持部１５のブレーキ収納部３５ｂの外周に、配置される。
【００８７】
続いて、カバー開閉部１６の第２連結部材４２が、カバー開閉部１６の第１連結部材４１を介して、第１側カバー部１８ａ（異物防止部材６１を含む）に装着される。具体的には、第２連結部材４２の軸部４３が、第１連結部材４１の孔部４１ａに挿通される。そして、付勢部材３７の第１係止部３７ｂを第１側カバー部１８ａの突出部１２８ｂに係合させ、付勢部材３７の捩りバネ部３７ａを第１側カバー部１８ａの支持部２８ｂに配置した状態で、第２連結部材４２の軸部４３（雄ネジ部４３ｂ）が、第１側カバー部１８ａの支持部２８ｂに螺合される。そして、付勢部材３７の第２係止部３７ｃが、第１連結部材４１の係止孔４１ｂに係合される。
【００８８】
続いて、第１側カバー部１８ａが開かれた状態で、第１連結部材４１が、固定部材例えばビス４７によって、スプール支持部１５のブレーキ収納部３５ｂに固定される。詳細には、第２連結部材４２の頭部４４を、揺動部材３８に形成された位置決め用の長孔部３９の第２孔部３９ｂに配置した状態で、第１連結部材４１が、ビス４７によって、スプール支持部１５のブレーキ収納部３５ｂに固定される。
【００８９】
このようにして、着脱ユニット２９（スプール支持部１５、着脱部１９、カバー開閉部１６（揺動部材３８及び連結部材４０）、及び第１側カバー部１８ａ）が、組み立てられる。
【００９０】
続いて、着脱ユニット２９が、第１側板部１７ａに装着される。例えば、揺動用の操作つまみ３８ｂが、揺動部材用の長孔部２２ｂに配置された状態において、揺動部材３８の切欠部３８ｃに配置された着脱用の操作つまみ１９ｂが、回転される。これにより、着脱ユニット２９と第１側板部１７ａとはバヨネット結合される。言い換えると、着脱ユニット２９における着脱部１９のバヨネット突起１９ｃを、第１側板部１７ａにおける筒状部２７ｂのバヨネット溝２７ｄに嵌合することによって、着脱ユニット２９が、第１側板部１７ａに装着される。
【００９１】
なお、この状態では、第１側カバー部１８ａは、付勢部材３７によって付勢され、開かれている。また、この状態では、揺動部材３８の姿勢は第１姿勢である。
【００９２】
続いて、第１側カバー部１８ａを第２連結部材４２の軸心まわりに回転させると、付勢部材３７が捩られ、第１側カバー部１８ａが、第１側板部１７ａの筒状部２７ｂに対向して配置される。この状態では、第１側カバー部１８ａと第１側板部１７ａの筒状部２７ｂとの間には、所定の隙間が形成されている。そして、第１側カバー部１８ａが、スプール支持部１５に向けて押し込まれると、付勢部材３７が圧縮され、第１側カバー部１８ａが第１側板部１７ａの筒状部２７ｂに当接する。
【００９３】
この状態で、揺動用の操作つまみ３８ｂが揺動部材用の長孔部２２ｂに沿って一方向に操作されると、第２連結部材４２の頭部４４が、位置決め用の長孔部３９における第２孔部３９ｂから第１孔部３９ａへと移動し、第１孔部３９ａの縁部３９ｃに乗り上げる。これにより、第１側カバー部１８ａが第１側板部１７ａの開口部２７ｃを覆った状態で、第１側カバー部１８ａが第１側板部１７ａ（筒状部２７ｂ）に保持される。この状態が、第１側カバー部１８ａが閉じられた状態である。この状態において、スプール１４、スプール支持部１５、及び第１側カバー部１８ａは、スプール軸方向から見て、実質的に同芯に配置されている。
【００９４】
一方で、第１側カバー部１８ａが閉じられた状態において、揺動用の操作つまみ３８ｂが揺動部材用の長孔部２２ｂに沿って反対方向に操作されると、第２連結部材４２の頭部４４が、位置決め用の長孔部３９における第１孔部３９ａの縁部３９ｃから第２孔部３９ｂへと移動する。すると、付勢部材３７の伸びる力によって、第１側カバー部１８ａとともに、第２連結部材４２が、スプール支持部１５から離れる方向に付勢される。これにより、第２連結部材４２の頭部４４が、位置決め用の長孔部３９における第２孔部３９ｂの内部に配置された状態で、第１連結部材４１に当接する。すなわち、第１側カバー部１８ａが、スプール１４から離れる方向に移動する。このようにして、第１側カバー部１８ａの姿勢が、カバー閉塞姿勢からカバー開放可能姿勢へと変更される。
【００９５】
続いて、第１側カバー部１８ａの姿勢がカバー開放可能姿勢へと変更されると、第１側カバー部１８ａが、付勢部材３７の捩り力の反力によって、第２連結部材４２まわりに回転する。これにより、第１側カバー部１８ａの姿勢が、カバー開放可能姿勢からカバー開放姿勢へと変更される。すなわち、第１側カバー部１８ａが開かれる。
【００９６】
続いて、着脱用の操作つまみ１９ｂを操作すると、着脱ユニット２９と第１側板部１７ａとのバヨネット結合が、解除される。この状態で、着脱ユニット２９が、スプール１４から離れる方向に引き出されると、着脱ユニット２９が第１側板部１７ａから取り外される。
【００９７】
なお、第１側カバー部１８ａが開かれているときに、着脱用の操作つまみ１９ｂが操作されない限り、着脱ユニット２９は、第１側板部１７ａに装着されたままである。この状態では、ユーザは、スプール支持部１５の窓部１１５ｅを介して、ブレーキシュー２０ｂを、揺動可能又は揺動不能に、設定できる。
【００９８】
＜異物侵入防止構造の構成＞
異物侵入防止構造６０は、両軸受リール１０の内部への異物の侵入を防止するためのものである。異物侵入防止構造６０は、第１側板部１７ａ（フレーム１７）と、第１側カバー部１８ａとから、構成されている。第１側カバー部１８ａは、上述したように、複数の孔部１２８ａを有するカバー本体部２８ａ（図４を参照）と、複数の孔部からの異物の侵入を防止する異物防止部材６１（図６Ａを参照）とを、有している。
【００９９】
なお、第１側板部１７ａ及び第１側カバー部１８ａは、上記のリール本体１１において既に説明を行っているため、ここでは説明を省略する。また、異物防止部材６１は、第１側カバー部１８ａに含まれる部材である。この基本構成については、上記のリール本体１１において既に説明を行っているため、ここでは、基本構成の除く構成についてのみ説明する。
【０１００】
異物防止部材６１は、弾性変形させることによって、カバー本体部２８ａの内面側に装着され、復元力によってカバー本体部２８ａに保持される。例えば、異物防止部材６１の外周部の少なくとも一部は、カバー本体部２８ａの第１曲率より小さな第２曲率を有している。言い換えると、異物防止部材６１の外周部の少なくとも一部は、カバー本体部２８ａの第１曲率半径より大きな第２曲率半径を有する形状に、形成されている。これにより、異物防止部材６１を弾性変形させることによって、図６Ａに示すように、異物防止部材６１の外周部２８ｄ（第２曲率を有する部分）が、カバー本体部２８ａの外周部１２８ｄ（第１曲率を有する部分）に、装着される。カバー本体部２８ａの外周部１２８ｄは、カバー本体部２８ａの突出部１２８ｂの一部である。
【０１０１】
図６Ａから図６Ｃに示すように、異物防止部材６１は、実質的にＣ字板状に形成されている。異物防止部材６１は、Ｃ字板状に形成された本体部６１ａと、カバー本体部２８ａの保持部１２８ｃに係合する複数の係合部６１ｂを、有している。なお、カバー本体部２８ａの保持部１２８ｃは、上述したように、凹状に形成された凹部である。
【０１０２】
本体部６１ａは、例えば第２曲率の曲率中心に向けて、弾性変形させることによって、カバー本体部２８ａに装着される。複数の（例えば、３個の）係合部６１ｂそれぞれは、本体部６１ａの外周部（第２曲率を有する部分）において、間隔を隔てて、一体に形成されている。係合部６１ｂは、本体部６１ａの外周部から外方に突出した凸部（第２凸部の一例）である。
【０１０３】
図６Ｃに示すように、３個の係合部６１ｂの中の少なくとも１つは、突起６１ｃを有している。ここでは、例えば、３個の係合部６１ｂの１つが、突起６１ｃを有している。図６Ｂに示すように、突起６１ｃを有していない２個の係合部６１ｂは、カバー本体部２８ａの保持部１２８ｃに配置される。一方で、突起６１ｃを有する係合部６１ｂは、対応するカバー本体部２８ａの保持部１２８ｃに、嵌合される。詳細には、係合部６１ｂの突起６１ｃを、保持部１２８ｃの壁部に接触させることによって、突起６１ｃを有する係合部６１ｂが、カバー本体部２８ａの保持部１２８ｃに、嵌合される。このように、カバー本体部２８ａの保持部１２８ｃに対する係合部６１ｂの配置及び嵌合と、上述した本体部６１ａの復元力とによって、異物防止部材６１は、カバー本体部２８ａに保持される。
【０１０４】
なお、ここでは、３個の係合部６１ｂの中の１つが、突起６１ｃを有している場合の例を示したが、３個の係合部６１ｂの中の２つ、又は３個の係合部６１ｂすべてが、突起６１ｃを有していてもよい。
【０１０５】
＜特徴＞
上記実施形態は、下記のように表現可能である。
【０１０６】
（Ａ）本両軸受リール１０は、リール本体１１と、スプール１４と、ハンドル１２と、カバー開放機構５０とを、備えている。リール本体１１は、フレーム１７と、第１側カバー部１８ａとを、有している。フレーム１７は、開口部２７ｃを有する。第１側カバー部１８ａは、フレーム１７の開口部２７ｃに配置可能である。スプール１４は、フレーム１７に回転自在に装着される。ハンドル１２は、スプール１４を回転させるためのものである。
【０１０７】
カバー開放機構５０は、第１側カバー部１８ａを開放するためのものである。カバー開放機構５０は、フレーム１７と、第１側カバー部１８ａと、スプール支持部１５と、カバー開閉部１６とを、有している。スプール支持部１５は、フレーム１７の内部に装着され、スプール１４を回転可能に支持する。カバー開閉部１６は、フレーム１７の内部において、スプール１４と第１側カバー部１８ａとの間に配置される。
【０１０８】
カバー開閉部１６は、カバー開閉構造３６と付勢部材３７とを有している。カバー開閉構造３６は、スプール支持部１５及び第１側カバー部１８ａに係合し、第１側カバー部１８ａの開閉状態を設定する。付勢部材３７は、第１側カバー部１８ａとカバー開閉構造３６との間に配置され、第１側カバー部１８ａを開放可能に付勢する。第１側カバー部１８ａ及びスプール支持部１５のいずれか一方が、第１側カバー部１８ａ及びスプール支持部１５のいずれか他方に係合することによって、第１側カバー部１８ａは回り止めされる。
【０１０９】
本両軸受リール１０では、カバー開閉構造３６によって第１側カバー部１８ａが閉塞状態から解放されると、付勢部材３７によって第１側カバー部１８ａが開かれる。また、第１側カバー部１８ａ及びカバー開閉構造３６のいずれか一方が、第１側カバー部１８ａ及びカバー開閉構造３６のいずれか他方に係合することによって、第１側カバー部１８ａは回り止めされる。
【０１１０】
このように、本両軸受リール１０では、第１側カバー部１８ａを自動的に開放し、且つ開放された第１側カバー部１８ａを回り止めによって保持することができる。すなわち、本両軸受リール１０では、第１側カバー部１８ａを容易に開放することができる。また、本両軸受リール１０では、第１側カバー部１８ａを開いた状態で、保持することができる。これにより、両軸受リール１０の内部構造に対する操作性及び作業性を、向上することができる。
【０１１１】
（Ｂ）本両軸受リール１０では、第１側カバー部１８ａ及びスプール支持部１５のいずれか一方は、突出部１２８ｂを有している。第１側カバー部１８ａ及びスプール支持部１５のいずれか他方は、突出部１２８ｂに当接可能な当接部３５ｄを、有している。
【０１１２】
この場合、突出部１２８ｂと当接部３５ｄとを当接させることによって、第１側カバー部１８ａは回り止めされる。すなわち、本両軸受リール１０では、第１側カバー部１８ａを開いた状態で、第１側カバー部１８ａを確実に保持することができる。これにより、両軸受リール１０の内部構造に対する操作性及び作業性を、向上することができる。
【０１１３】
（Ｃ）本両軸受リール１０では、付勢部材３７は、第１側カバー部１８ａが開口部２７ｃを閉塞する閉塞姿勢から、第１側カバー部１８ａが開口部２７ｃの少なくとも一部を開放した開放姿勢へと、第１側カバー部１８ａの姿勢を変更する。
【０１１４】
この場合、第１側カバー部１８ａの姿勢が、付勢部材３７によって、閉塞姿勢から開放姿勢へと変更されるので、ユーザは、第１側カバー部１８ａを、手動ではなく、自動的に開放することができる。
【０１１５】
（Ｄ）本両軸受リール１０では、付勢部材３７が、閉塞姿勢から、開口部２７ｃを開放可能な開放可能姿勢へと、第１側カバー部１８ａの姿勢を変更する。また、付勢部材３７は、開放可能姿勢から開放姿勢へと、第１側カバー部１８ａの姿勢を変更する。
【０１１６】
この場合、第１側カバー部１８ａの姿勢が、付勢部材３７によって、閉塞姿勢、開放可能姿勢、開放姿勢の順に、多段階に変更される。このように、第１側カバー部１８ａの姿勢を、開放可能姿勢を介して、閉塞姿勢から開放姿勢へと変更することによって、閉塞姿勢と開放姿勢との姿勢の差異が大きくても、付勢部材３７によって、第１側カバー部１８ａをスムーズ且つ自動的に開放することができる。
【０１１７】
（Ｅ）本両軸受リール１０では、カバー開閉構造３６が、第１側カバー部１８ａを、閉塞姿勢と開放可能姿勢との間において、スプール１４から離れる方向と、スプール１４に近づく方向とに、進退自在に支持する。また、カバー開閉構造３６は、開放可能姿勢と開放姿勢との間で、第１側カバー部１８ａを揺動可能に支持する。付勢部材３７は、第１側カバー部１８ａの姿勢を閉塞姿勢から開放可能姿勢へと変更可能に、第１側カバー部１８ａを付勢する。また、付勢部材３７は、第１側カバー部１８ａの姿勢を開放可能姿勢から開放姿勢へと変更可能に、第１側カバー部１８ａを付勢する。
【０１１８】
この場合、カバー開閉構造３６が第１側カバー部１８ａを支持する形態に応じて、付勢部材３７が第１側カバー部１８ａを付勢するので、第１側カバー部１８ａの姿勢をスムーズ且つ自動的に変更することができる。
【０１１９】
（Ｆ）本両軸受リール１０では、第１側カバー部１８ａが、支持部２８ｂを有している。カバー開閉構造３６は、第２連結部材４２を有している。第２連結部材４２は、支持部２８ｂに装着され、第１側カバー部１８ａを進退自在且つ揺動自在に支持する。付勢部材３７は、支持部２８ｂ及び第２連結部材４２の少なくともいずれか一方の外周部に、装着される。付勢部材３７は、捩りバネ部３７ａと、第１係止部３７ｂと、第２係止部３７ｃとを、有している。捩りバネ部３７ａは、支持部２８ｂ及び第２連結部材４２の少なくともいずれか一方の外周部において、伸縮可能である。第１係止部３７ｂは、第１側カバー部１８ａに係止される。第２係止部３７ｃは、カバー開閉構造３６に係止される。
【０１２０】
この場合、捩りバネ部３７ａの伸びる力によって、第１側カバー部１８ａの姿勢が、閉塞姿勢から開放可能姿勢へと変更される。また、捩りバネ部３７ａの捩り力の反力によって、第１側カバー部１８ａの姿勢が、開放可能姿勢から開放姿勢へと変更される。これにより、第１側カバー部１８ａの姿勢が多段階に変更されたとしても、１つの付勢部材３７によって、第１側カバー部１８ａをスムーズ且つ自動的に開放することができる。
【０１２１】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【０１２２】
（ａ）前記実施形態では、第１側カバー部１８ａに突出部１２８ｂが形成され、スプール支持部１５に当接部３５ｄが形成される場合の例を示したが、スプール支持部１５に突出部１２８ｂを形成し、第１側カバー部１８ａに当接部３５ｄを形成するようにしてもよい。
【０１２３】
（ｂ）前記実施形態では、異物防止部材６１において、３個の係合部６１ｂを有する場合の例を示したが、係合部６１ｂの数は、前記実施形態に限定されず、どのようにしてもよい。また、突起６１ｃが形成される係合部６１ｂは、１個に限定されず、複数であってもよい。
【０１２４】
（ｃ）前記実施形態では、異物防止部材６１が、実質的にＣ字板状に形成される場合の例を示したが、異物防止部材６１が弾性部材であり、且つ異物防止部材６１の曲率（第２曲率）が、第１側カバー部１８ａの曲率（第１曲率）より小さければ、異物防止部材６１の形状は、どのような形状であってもよい。
【０１２５】
（ｄ）前記実施形態では、異物防止部材６１の係合部６１ｂが凸部であり、第１側カバー部１８ａの保持部１２８ｃが凹部である場合の例を示したが、異物防止部材６１の係合部６１ｂが凹部であり、第１側カバー部１８ａの保持部１２８ｃが凸部であってもよい。
【産業上の利用可能性】
【０１２６】
本発明は、両軸受リールに広く適用できる。
【符号の説明】
【０１２７】
１０    両軸受リール
１１    リール本体
１２    ハンドル
１４    スプール
１７    フレーム（フレーム本体の一例）
１５    スプール支持部
１８ａ  第１側カバー部（カバー部の一例）
１６    カバー開閉部
２７ｃ  開口部
２８ｂ  連結部
３０    スプールアクセス機構
３５ｄ  当接部
３６  カバー開閉構造
３７  付勢部材
３７ａ  捩りバネ部
３７ｂ  第１係止部
３７ｃ  第２係止部
５０  カバー開放機構
６０  異物侵入防止構造
６１  異物防止部材
６１ｂ  係合部
６１ｃ  突起
１２８ａ  孔部
１２８ｃ  保持部
１２８ｂ  突出部
【手続補正３】
【補正対象書類名】図面
【補正対象項目名】図１
【補正方法】変更
【補正の内容】
【図１】
2015053917.tif 000001
【手続補正４】
【補正対象書類名】図面
【補正対象項目名】図２
【補正方法】変更
【補正の内容】
【図２】
2015053917.tif 000002
【手続補正５】
【補正対象書類名】図面
【補正対象項目名】図４
【補正方法】変更
【補正の内容】
【図４】
2015053917.tif 000003
【手続補正６】
【補正対象書類名】図面
【補正対象項目名】図７
【補正方法】変更
【補正の内容】
【図７】
2015053917.tif 000004